(57)【特許請求の範囲】
【請求項１】
光源部と、光源部の点灯制御を行う制御部と、配光変更部とを備え、
光源部は、有機材料からなる発光層を備え厚み方向一面側に発光面が形成されるとともに厚み方向他面側に非発光面が形成された有機エレクトロルミネッセンス素子からなる一対の発光素子を、非発光面同士が対向する形に配置してなり、
配光変更部は、一方の発光素子の発光面と対向する形に配置され、当該一方の発光素子の発光面との対向面に反射面を備えた反射板であり、当該一方の発光素子の配光パターンを他方の発光素子の配光パターンとは異ならせ、
制御部は、光源部の一対の発光素子の点灯と消灯とを個別に切り替えて光源部からの光の配光パターンを変更するように一対の発光素子を点灯制御することを特徴とする照明装置。
【請求項２】
前記反射板の反射面は、一方の発光素子の発光面から放射された光を所定箇所に集光する形に反射する凹面状に形成されていることを特徴とする請求項１記載の照明装置。
【請求項３】
前記反射板の反射面は、一方の発光素子の発光面から放射された光を当該発光面の法線方向に交差する方向へ反射する凸面状に形成されていることを特徴とする請求項１記載の照明装置。
【請求項４】
前記配光変更部は、一対の発光素子の発光面それぞれに対向する形に配置され、一対の配光変更部の反射板は、一方の発光素子の発光面から放射された光と、他方の発光素子の発光面から放射された光とをそれらの進行方向が同方向とならない形に反射することを特徴とする請求項１記載の照明装置。
【請求項５】
一対の発光素子は互いに光色が異なることを特徴とする請求項１〜４のうちいずれか１項記載の照明装置。
【発明の詳細な説明】
【技術分野】
【０００１】
本発明は、照明装置に関するものである。
【背景技術】
【０００２】
従来から、図５（ａ），（ｂ）に示すように、配光パターンを変更可能な照明装置が提案されている。この照明装置は、ランプからなる光源部１００と、底面（図５（ａ）における下面）が開口したドーム状に形成され内側に光源部１００が配置された反射板２００とを備えている。ここで、反射板２００は、光源部１００に対して所定方向（図５（ａ）における上下方向）に移動可能となっており、反射板２００の光源部１００に対する相対位置が変化することによって、図５（ａ），（ｂ）に示すように反射板２００で反射された光Ｌ１００の進行方向が変化し、これによって照明装置の配光パターンが変更可能となっている。
【０００３】
また、このような照明装置としては図６に示すものが挙げられる。図６に示す照明装置は、ランプからなる光源部１００と、光源部１００の一側方（図６（ａ）における左側方）に配置され光源部１００から放射された光を他側方（図６（ａ）における右側方）に反射する反射板２００と、光源部１００の上記他側方に配置された集光レンズ３００とを備えている。ここで、光源部１００および反射板２００は集光レンズ３００に対して所定方向（図６（ａ）における左右方向）において相対的に移動可能となっており、集光レンズ３００の光源部１００に対する相対位置が変化することによって、図６（ａ），（ｂ）に示すように集光レンズ３００に入射する光Ｌ１００の角度が変化し、その結果、集光レンズ３００より出射される光Ｌ１００の進行方向が変化し、これによって照明装置の配光パターンが変更可能となっている（同様なものとしては、特許文献１に示す例が挙げられる）。
【特許文献１】特開２００２−８４０４号公報（図１参照）
【発明の開示】
【発明が解決しようとする課題】
【０００４】
しかしながら、上記図５，６に示す従来の照明装置では、光源部１００に対して反射板２００やレンズ３００などの光学部材を相対変位させることによって、配光パターンを変更しているため、光学部材を光源部１００に対して相対変位させるための複雑な動作機構が必要になる。そのため、従来の照明装置では、部品点数や組立工数が増加して製造コストが増加し、また上記動作機構を設けるために照明装置が全体として大型化してしまうという問題があった。さらに、上記動作機構が故障の原因となるおそれがあり、長期信頼性が低下するという問題もあった。
【０００５】
本発明は上述の点に鑑みて為されたもので、その目的は、複雑な動作機構を設けなくても配光パターンを変更できる照明装置を提供することにある。
【課題を解決するための手段】
【０００６】
上記の課題を解決するために、請求項１の発明では、光源部と、光源部の点灯制御を行う制御部と、配光変更部とを備え、光源部は、有機材料からなる発光層を備え厚み方向一面側に発光面が形成されるとともに厚み方向他面側に非発光面が形成された有機エレクトロルミネッセンス素子からなる一対の発光素子を、非発光面同士が対向する形に配置してなり、配光変更部は、一方の発光素子の発光面と対向する形に配置され、当該一方の発光素子の発光面との対向面に反射面を備えた反射板であり、当該一方の発光素子の配光パターンを他方の発光素子の配光パターンとは異ならせ、制御部は、光源部の一対の発光素子の点灯と消灯とを個別に切り替えて光源部からの光の配光パターンを変更するように一対の発光素子を点灯制御することを特徴とする。
【０００７】
請求項１の発明によれば、一方の発光素子のみを点灯させたときと、他方の発光素子のみを点灯させたときと、両方の発光素子を点灯させたときとでは、それぞれ配光パターンが異なるので、従来のように反射板やレンズ、プリズムなどの光学部材と光源部とを相対変位させる必要がなく、光学部材と光源部とを相対変位させるための複雑な動作機構を設けなくても、点灯させる発光素子の組み合わせを異ならせるだけで配光パターンを変更できる。また、請求項１の発明によれば、一方の発光素子の配光パターンを所望の配光パターンに変更することが可能となる。
【００１０】
請求項２の発明では、請求項１の発明において、前記反射板の反射面は、一方の発光素子の発光面から放射された光を所定箇所に集光する形に反射する凹面状に形成されていることを特徴とする。
【００１１】
請求項２の発明によれば、一方の発光素子の配光パターンを、特定箇所を照らす形の配光パターンとすることができる。
【００１２】
請求項３の発明では、請求項１の発明において、前記反射板の反射面は、一方の発光素子の発光面から放射された光を当該発光面の法線方向に交差する方向へ反射する凸面状に形成されていることを特徴とする。
【００１３】
請求項３の発明によれば、一方の発光素子の配光パターンを、一方の発光素子の発光面から放射された光が当該発光面の法線方向に交差する方向へ進む形の配光パターンとすることができる。
【００１４】
請求項４の発明では、請求項１の発明において、前記配光変更部は、一対の発光素子の発光面それぞれに対向する形に配置され、一対の配光変更部の反射板は、一方の発光素子の発光面から放射された光と、他方の発光素子の発光面から放射された光とをそれらの進行方向が同方向とならない形に反射することを特徴とする。
【００１５】
請求項４の発明によれば、一方の発光素子の配光パターンは、他方の発光素子の配光パターンとは光の照射範囲が異なる配光パターンとなるから、一対の発光素子それぞれを異なる用途の光源、例えば、一方の発光素子を直接照明の光源、他方の発光素子を間接照明の光源として利用することが可能となる。
【００１６】
請求項５の発明では、請求項１〜４のうちいずれか１項の発明において、一対の発光素子は互いに光色が異なることを特徴とする。
【００１７】
請求項５の発明によれば、配光パターンだけではなく、光色も容易に変更することができる。
【発明の効果】
【００１８】
本発明は、従来のように反射板やレンズ、プリズムなどの光学部材と光源部とを相対変位させる必要がなく、光学部材と光源部とを相対変位させるための複雑な動作機構を設けなくても、点灯させる発光素子の組み合わせを異ならせるだけで配光パターンを変更できるという効果を奏する。
【発明を実施するための最良の形態】
【００１９】
本発明の一実施形態の照明装置は、図１に示すように、光源部１と、光源部の点灯制御を行う制御部（図示せず）と、配光変更部２とを備えている。
【００２０】
光源部１は、一対の発光素子１０により構成されている。発光素子１０は、例えば、支持基板（図示せず）と、支持基板の一表面側に形成された透明電極（図示せず）と、透明電極における支持基板とは反対側に形成された発光層（図示せず）と、発光層における透明電極とは反対側に形成された金属製の反射電極（図示せず）と、支持基板の上記一表面側に透明電極および反射電極の一部を露出するとともに発光層を覆う形で取り付けられる封止部（図示せず）とを備えている。
【００２１】
ここで、上記支持基板は、発光層を支持するための平板状の部材であり、発光層が放射する光に対して透光性を有する材料により形成されている。例えば、支持基板としては、ガラス基板などの透明基板が利用される。
【００２２】
上記透明電極は、発光層が放射する光に対して透光性を有する材料からなる導電性の薄膜である。このような透明電極の材料としては、ＩＴＯ（Indium Tin Oxide）などの透明な導電性材料が用いられる。
【００２３】
上記発光層は、例えば、蛍光物質の有機材料または蛍光物質を含む有機材料からなり、必要に応じて、正孔注入層、正孔輸送層、電子輸送層および電子注入層などが備えられる。
【００２４】
上記反射電極は、発光層が放射する光を反射する材料からなる導電性の薄膜である。このような反射電極の材料としては、例えば、アルミニウムや、アルミ・リチウム合金、マグネシウム・銀合金などを用いることができる。
【００２５】
上記封止部は、例えば絶縁性を有する材料（例えば、ガラスなど）により一面が開口した箱状に形成されており、上述したように、支持基板の上記一表面側に、透明電極および反射電極の一部を露出するとともに、発光層を覆う形に取り付けられている。この封止部は、有機材料からなる発光層が酸素や湿気の影響により徐々に劣化することを抑制するために、接着剤などにより支持基板に気密に取り付けられている。ここで、封止部より露出する透明電極の部位および反射電極の部位それぞれが給電用の端子部を形成している。
【００２６】
本実施形態における発光素子１は、上述したように、支持基板、透明電極、発光層、反射電極、封止部を順次積層してなる矩形板状の有機エレクトロルミネッセンス（organic electroluminescence、有機ＥＬともいう）素子（以下、「有機ＥＬ素子」と略す）からなり、このような発光素子１０では、給電用の端子部により透明電極および反射電極それぞれに所定の電位を与えることにより、発光層から光が放射される。
【００２７】
このとき発光層から透明電極側に放射された光は、透明電極を透過した後に、支持基板に入射し、支持基板内を通過し、支持基板の他表面側から支持基板外に出射される。一方、発光層から反射電極側に放射された光は、反射電極により透明電極側に反射された後に、支持基板内を通過し、支持基板の上記他表面側から支持基板外に出射される。
【００２８】
つまり、本実施形態における発光素子１０は、厚み方向一面側（支持基板の上記他表面側）に発光面１１が形成されるとともに、厚み方向他面側（封止部における支持基板とは反対面側）に非発光面１２が形成された所謂片面発光型の有機ＥＬ素子である。
【００２９】
そして、一対の発光素子１０を、非発光面１２同士が対向する形に配置することによって光源部１が構成されている。つまり、光源部１は、片面発光型の有機ＥＬ素子の非発光面を対向配置させた有機ＥＬモジュールからなる。なお、以下の説明では一対の発光素子１０を区別するために必要に応じて一方の発光素子（図１における上側の発光素子）１０を符号１０Ａで表し、他方の発光素子（図１における下側の発光素子）１０を符号１０Ｂで表す。同様の理由から発光素子１０Ａの発光面１１を符号１１Ａで表し、発光素子１０Ｂの発光面１１を符号１１Ｂで表す。
【００３０】
上記制御部は、例えば、商用電源などの交流電源より発光素子１０を点灯させるための直流電源を生成するＡＣ／ＤＣコンバータなどを備える電源回路部（図示せず）と、発光素子１０Ａと電源回路部との間に挿入された第１のスイッチ（図示せず）と、発光素子１０Ｂと電源回路部との間に挿入された第２のスイッチ（図示せず）と、マイクロコンピュータ（マイコン）などからなる演算処理部とを備えている。なお、第１のスイッチおよび第２のスイッチとしては、例えば、ＭＯＳＦＥＴなどの半導体スイッチング素子などを利用している。
【００３１】
上記演算処理部は、外部より入力された制御信号に応じて各半導体スイッチング素子を制御する機能がプログラムなどにより実現されており、例えば、発光素子１０Ａを点灯させる旨の制御信号（点灯信号）が入力されると、第１のスイッチをオンして（電源回路部から発光素子１０Ａへの給電を開始して）、発光素子１０Ａを点灯させ、発光素子１０Ａを消灯させる旨の制御信号（消灯信号）が入力されると、第１のスイッチをオフして（電源回路部から発光素子１０Ａへの給電を停止して）、発光素子１０Ａを消灯させる。また、演算処理部は、発光素子１０Ａを所定の明るさで点灯させる旨の制御信号（調光信号）が入力されると、例えば第１のスイッチをＰＷＭ制御して、発光素子１０Ａを所定の明るさで点灯させる。
【００３２】
この演算処理部は、発光素子１０Ｂについても発光素子１０Ａと同様な制御を行うように構成されており、発光素子１０Ｂ用の点灯信号が入力されると、第２のスイッチをオンして発光素子１０Ｂを点灯させ、発光素子１０Ｂ用の消灯信号が入力されると第２のスイッチをオフして発光素子１０Ａを消灯させ、発光素子１０Ｂ用の調光信号が入力されると、第２のスイッチをＰＷＭ制御して、発光素子１０Ｂを所定の明るさで点灯させる。
【００３３】
このように本実施形態における制御部は、光源部１の一対の発光素子１０を個別に点灯制御することができるようになっている。
【００３４】
配光変更部２は、発光素子１０Ａの発光面１１Ａから放射された光を反射することで、発光素子１０Ａの配光パターンを発光素子１０Ｂの配光パターンとは異ならせるものであり、図１に示すように、高さ方向の一面（図１における下面）が開口したドーム状に形成され、その高さ方向に直交する面内における断面形状が放物線形状となっている。このような配光変更部２は、その内面が一方の発光素子１０Ａの発光面１１Ａと対向するとともに、光源部１の発光素子１０Ａの光軸（または中心線）と配光変更部２の中心線とが一致する形に配置されている。そして、配光変更部２においては、発光素子１０Ａの発光面１１Ａとの対向面となる内面が発光素子１０Ａの発光面１１Ａから放射された光を反射する反射面２０となっている。つまり、図１に示す配光変更部２は、発光素子１０Ａの発光面１１Ａとの対向面に反射面２０を備えた反射板（反射鏡ともいう）からなる。
【００３５】
ところで、配光変更部２の反射面２０は、発光素子１０Ａの発光面１１Ａから放射された光を所定方向、図１に示す例では発光素子１０Ｂの発光面１１Ｂの法線方向と同方向（図１における下方向）に反射する形の凹面状に形成している。したがって、図１に示す配光変更部２は、発光面１１Ａの法線方向側に拡散し、広く全体を照らす形（全般拡散配光形）の発光素子１０Ａの配光パターンを、例えばスポットライトのように特定箇所のみを照らす形（集光配光形）の配光パターンに変更するようになっている（つまり、発光素子１０Ａの発光面１１Ａから放射された光を特定箇所に集光している）。
【００３６】
ここで、他方の発光素子１０Ｂの配光パターンは、図１に示すように、発光面１１Ｂの法線方向側に拡散する形、つまり全般拡散配光形の配光パターンであるから、配光変更部２によって変更された発光素子１０Ａの配光パターンは、発光素子１０Ｂの配光パターンとは当然に異なっている。
【００３７】
したがって、本実施形態の照明装置では、発光素子１０Ａのみを点灯させた際には、発光素子１０Ａの発光面１１Ａより法線方向側に拡散する形に光Ｌ１が放射されるが、この光Ｌ１は配光変更部２の反射面２０により発光素子１０Ｂの発光面１１Ｂの法線方向と同方向（図１における下方向）に反射され、その結果、集光配光形の配光パターンが得られる。また、本実施形態の照明装置では、発光素子１０Ｂのみを点灯させた際には、発光素子１０Ｂの発光面１１Ｂよりその法線方向側に拡散する形に光Ｌ２が放射されるので、集光配光形ではなく、全般拡散配光形の配光パターンが得られる。さらに、本実施形態の照明装置では、両方の発光素子１０を点灯させることによって、集光配光形の配光パターンと全般拡散形の配光パターンとが合わさった形、すなわち、広く全体を照らしながらも、特定箇所のみを特に明るく照らす形の配光パターンが得られる。
【００３８】
以上述べたように本実施形態の照明装置は、光源部１と、光源部１の点灯制御を行う制御部とを備え、光源部１は、有機材料からなる発光層を備え厚み方向一面側が発光面１１となるとともに厚み方向他面側が非発光面１２となる形に形成された有機ＥＬ素子からなる一対の発光素子１０を、非発光面１２同士が対向する形に配置してなり、制御部は、光源部１の一対の発光素子１０を個別に点灯制御するようになっている。
【００３９】
そのため、本実施形態の照明装置によれば、一方の発光素子１０Ａのみを点灯させたときと、他方の発光素子１０Ｂのみを点灯させたときと、両方の発光素子１０を点灯させたときとでは、それぞれ配光パターンが異なるので、従来のように反射板やレンズ、プリズムなどの光学部材２００と光源部１００とを相対変位させる必要がなく、光学部材２００と光源部１００とを相対変位させるための複雑な動作機構を設けなくても、点灯させる発光素子１０の組み合わせを異ならせるだけで配光パターンを変更できる。また、複雑な動作機構を設ける必要がないから、部品点数、および組立工数の削減が図れ、その結果、製造コストを低減でき、安価な照明装置を提供でき、しかも、動作機構の故障といった不具合が生じることもない。
【００４０】
また、本実施形態の照明装置は、一方の発光素子１０Ａの発光面１１Ａに対向する形に配置され、当該一方の発光素子１０Ａの配光パターンを他方の発光素子１０Ｂの配光パターンとは異ならせる配光変更部２を備えているので、一方の発光素子１０Ａの配光パターンを所望の配光パターンに変更することが可能となる。
【００４１】
特に図１に示す配光変更部２は、一方の発光素子１０Ａの発光面１１Ａとの対向面に反射面２０を備えた反射板からなり、当該反射面２０は、一方の発光素子１０Ａの発光面１１Ａから放射された光を所定箇所に集光する形に反射する凹面状に形成されているので、一方の発光素子１０Ａの配光パターンを、集光配光形の配光パターンとすることができる。
【００４２】
このような配光変更部２は、図１に示す例に限定されるものではなく、例えば、図２に示すようなものであってもよい。
【００４３】
図２に示す配光変更部２は、中央部が突出した板状に形成されており、厚み方向に直交する面内における断面形状が略Ｖ字状となっている。図２に示す配光変更部２は、中央部が突出された面（図２における下面）を一方の発光素子１０Ａの発光面１１Ａに対向させるとともに、光源部１の発光素子１０Ａの光軸（または中心線）と配光変更部２の中心線（突出された中央部の頂点を通る線）とが一致する形に配置されている。そして、配光変更部２においても、発光素子１０Ａの発光面１１Ａとの対向面が発光素子１０Ａの発光面１１Ａから放射された光を反射する反射面２０となっている。したがって、図２に示す配光変更部２も、図１に示す配光変更部２と同様に、発光素子１０Ａの発光面１１Ａとの対向面に反射面２０を備えた反射板である。
【００４４】
図２に示す配光変更部２の反射面２０は、図１に示す配光変更部２とは異なり、一方の発光素子１０Ａの発光面１１Ａから放射された光を当該発光面１１Ａの法線方向に交差する方向（図２における左右方向）へ反射する凸面状に形成している。したがって、図２に示す配光変更部２は、全般拡散配光形の配光パターンを、一方の発光素子１０Ａの発光面１１Ａから放射された光が当該発光面１１Ａの法線方向に交差する方向へ進む形の配光パターン、すなわち発光面１１Ａから放射された光の大部分が直接照明ではなく壁などを照らす間接照明に用いられる形（半間接配光形、あるいは側方配光形）の配光パターンに変更するようになっている。
【００４５】
ここで、他方の発光素子１０Ｂの配光パターンは、上述したように全般拡散配光形の配光パターンであるから、配光変更部２によって変更された発光素子１０Ａの配光パターンは、発光素子１０Ｂの配光パターンとは当然に異なっている。
【００４６】
したがって、図２に示す照明装置では、発光素子１０Ａのみを点灯させた際には、発光素子１０Ａの発光面１１Ａよりその法線方向側に拡散する形に光Ｌ１が放射されるが、この光Ｌ１は、その発光面１１Ａの法線方向に交差する方向（図２における左右方向）に反射され、その結果、半間接配光形の配光パターンが得られる。また、図２に示す照明装置では、発光素子１０Ｂのみを点灯させた際には、発光素子１０Ｂの発光面１１Ｂよりその法線方向側に拡散する形に光Ｌ２が放射されるので、半間接配光形ではなく、全般拡散配光形の配光パターンが得られる。さらに、図２に示す照明装置では、両方の発光素子１０を点灯させることによって、半間接配光形の配光パターンと全般拡散配光形の配光パターンとが合わさった形、すなわち、全般拡散配光形の場合よりも広い範囲を照らす形の配光パターンが得られる。このように図２に示す配光変更部２によれば、一方の発光素子１０Ａの配光パターンを、全般拡散配光形から半間接配光形の配光パターンに変更することができる。
【００４７】
なお、本実施形態の照明装置においては、一対の発光素子１０はそれぞれの発光面１１が異なる方向を向いているため、発光素子１０Ａの配光パターン（発光面１１Ａの法線方向側に拡散する形の配光パターン）と、発光素子１０Ｂの配光パターン（発光面１１Ｂの法線方向側に拡散する配光パターン）とは、異なる形の全般拡散形の配光パターンである。そのため、配光変更部２を設けなくても、発光素子１０Ａのみを点灯したときと、発光素子１０Ｂのみを点灯したときと、発光素子１０を両方点灯したときとで異なる配光パターンを得ることができる。そのため、配光変更部２は必ずしも設ける必要はないが、上述したように発光素子１０の配光パターンを所望の配光パターンに変更したい場合には配光変更部２を用いればよい。
【００４８】
また、図１，２に示す照明装置では、一方の発光素子１０Ａにのみ配光変更部２を設けているが、図３，４に示すように、他方の発光素子１０Ｂにも配光変更部２を設けることで、照明装置が、光源部１の一対の発光素子１０の発光面１１それぞれに対向する形に配置された一対の配光変更部２を備えるようにしてもよい。なお、以下の説明では、２つの配光変更部２を区別するために、必要に応じて、発光素子１０Ａに対向する形に配置された配光変更部２を符号２Ａで表し、発光素子１０Ｂに対向する形に配置された配光変更部２を符号２Ａで表す。
【００４９】
図３に示す照明装置は、室内の天井ＣＢにおける壁Ｗ近傍に設置されるダウンライトであり、光源部１は発光素子１０Ａが壁Ｗ側（図３における左側）、発光素子１０Ｂが居室空間側（図３における右側）に位置する形に配置されている。
【００５０】
図３に示す配光変更部２Ａは、発光素子１０Ａの発光面１１Ａと対向する形（光源部１よりも図３における左側に位置する形）に配置され、発光素子１０Ａの発光面１１Ａとの対向面に、発光面１１Ａから放射された光Ｌ１を居住空間側（図３における右下側）に反射する凹面状の反射面２０を備えた反射板からなる。したがって、配光変更部２Ａは、発光面１１Ａの法線方向側に拡散し、広く全体を照らす形（全般拡散配光形）の発光素子１０Ａの配光パターンを、居室空間を照らす形（直接照明形）の配光パターンに変更する。
【００５１】
一方、図３に示す配光変更部２Ｂは、発光素子１０Ｂの発光面１１Ｂと対向する形（光源部１よりも図３における右側に位置する形）に配置され、発光素子１０Ｂの発光面１１Ｂとの対向面に、発光面１１Ｂから放射された光Ｌ２を壁Ｗ側（図３における左下側）に反射する反射面２０を備えた凹面状の反射板からなる。したがって、配光変更部２Ｂは、発光面１１Ｂの法線方向側に拡散し、広く全体を照らす形（全般拡散配光形）の発光素子１０Ｂの配光パターンを、居室空間を照らさずに壁Ｗなどを照らす形（間接照明形）の配光パターンに変更する。
【００５２】
ここで、一対の配光変更部２は、発光面１１Ａから放射され配光変更部２Ａの反射面２０で反射された光Ｌ１の照射範囲が、発光面１１Ｂから放射され配光変更部２Ｂの反射面２０により反射された光Ｌ２の照射範囲よりも狭くなる形に形成されている。例えば、一対の配光変更部２は、配光変更部２Ａの反射面２０の曲率が配光変更部２Ｂの反射面２０の曲率よりも大きくなるような形に形成されている。
【００５３】
したがって、図３に示す照明装置では、発光素子１０Ａのみを点灯させた際には、発光素子１０Ａの発光面１１Ａよりその法線方向側に拡散する形に光Ｌ１が放射されるが、この光Ｌ１は配光変更部２Ａの反射面２０により居室空間側に反射され、その結果、直接照明形の配光パターンが得られる。また、図３に示す照明装置では、発光素子１０Ｂのみを点灯させた際には、発光素子１０Ｂの発光面１１Ｂよりその法線方向側に拡散する形に光Ｌ２が放射されるが、この光Ｌ２は配光変更部２Ｂの反射面２０により壁Ｗ側に反射され、その結果、間接照明形の配光パターンが得られる。さらに、図３に示す照明装置では、両方の発光素子１０を点灯させることによって、直接照明形の配光パターンと間接照明形の配光パターンとが合わさった形、すなわち、室内全体を照らす配光パターンが得られる。
【００５４】
一方、図４に示す照明装置は、室内の壁Ｗを照らす間接照明用のブラケットライトであり、光源部１は発光素子１０Ａが天井ＣＢ側（図４における上側）、発光素子１０Ｂが床ＦＬ側（図４における下側）に位置する形に配置されている。
【００５５】
図４に示す配光変更部２Ａは、発光素子１０Ａの発光面１１Ａと対向する形（光源部１よりも図４における上側に位置する形）に配置され、発光素子１０Ａの発光面１１Ａとの対向面に、発光面１１Ａから放射された光Ｌ１を壁Ｗにおける床ＦＬ側（図４における左下側）の部位に向かう形に反射する凹面状の反射面２０を備えた反射板からなる。したがって、配光変更部２Ａは、全般拡散配光形の発光素子１０Ａの配光パターンを、壁Ｗにおける床ＦＬ側の部位を照らす形（夜間用間接照明形）の配光パターンに変更する。
【００５６】
一方、配光変更部２Ｂは、発光素子１０Ｂの発光面１１Ｂと対向する形（光源部１よりも図４における下側に位置する形）に配置され、発光素子１０Ｂの発光面１１Ｂとの対向面に、発光面１１Ｂから放射された光Ｌ２を壁Ｗにおける天井ＣＢ側（図４における左上側）の部位に向かう形に反射する反射面２０を備えた凹面状の反射板からなる。したがって、配光変更部２Ｂは、全般拡散配光形の発光素子１０Ｂの配光パターンを、壁Ｗにおける天井ＣＢ側を照らす形（昼間用間接照明形）の配光パターンに変更する。
【００５７】
したがって、図４に示す照明装置では、発光素子１０Ａのみを点灯させた際には、発光素子１０Ａの発光面１１Ａよりその法線方向側に拡散する形に光Ｌ１が放射されるが、この光Ｌ１は配光変更部２Ａの反射面２０により壁Ｗにおける床ＦＬ側の部位に向かう形に反射され、その結果、夜間用間接照明形の配光パターンが得られる。また、図４に示す照明装置では、発光素子１０Ｂのみを点灯させた際には、発光素子１０Ｂの発光面１１Ｂよりその法線方向側に拡散する形に光Ｌ２が放射されるが、この光Ｌ２は配光変更部２Ｂの反射面２０により壁Ｗにおける天井ＣＢ側の部位に向かう形に反射され、その結果、昼間用間接照明形の配光パターンが得られる。さらに、図４に示す照明装置では、両方の発光素子１０を点灯させることによって、夜間用間接照明形の配光パターンと昼間用間接照明形の配光パターンとが合わさった形、すなわち、壁Ｗ全体を照らす配光パターンが得られる。
【００５８】
このように、図３，４に示す一対の配光変更部２は、一方の発光素子１０Ａの発光面１１Ａから放射された光Ｌ１と、他方の発光素子１０Ｂの発光面１１Ｂから放射された光Ｌ２とをそれらの進行方向が同方向とならない形に反射する反射板となっている。
【００５９】
そのため、このような一対の配光変更部２を備えた照明装置によれば、一方の発光素子１０Ａの配光パターンは、他方の発光素子１０Ｂの配光パターンとは光の照射範囲が異なる配光パターンとなるから、一対の発光素子１０それぞれを異なる用途の光源として利用することが可能となる。例えば、図３に示す照明装置では、一方の発光素子１０Ａを直接照明の光源、他方の発光素子１０Ｂを間接照明の光源として利用しており、図４に示す照明装置では、一方の発光素子１０Ａを夜間用間接照明の光源、他方の発光素子１０Ｂを昼間用間接照明の光源として利用している。なお、図３，４に示す一対の配光変更部２は、一方の発光素子１０Ａの発光面１１Ａから放射された光Ｌ１と、他方の発光素子１０Ｂの発光面１１Ｂから放射された光Ｌ２とをそれらの進行方向間の角度の平均は１８０度を越えないようになっているが、１８０度を越えても何ら問題は無く、このような角度は、照明装置の用途に応じて適宜設定すればよい。
【００６０】
ところで、光源部１には、必ずしも光色が同じ一対の発光素子１０を用いる必要はなく、光色（色温度）が異なる一対の発光素子１０を用いてもよく、このようにすれば、配光パターンだけではなく、光色も容易に変更することができる。
【００６１】
例えば、図４に示す照明装置では、発光素子１０Ａが夜間用間接照明の光源に利用され、発光素子１０Ｂが昼間用間接照明の光源に利用されており、ここで、人間の心理的作用面を考慮すれば、高所が明るい場合には昼間を連想し、低所が明るい場合には夜間を連想する傾向にあるため、発光素子１０Ａから放射される光Ｌ１を暖色系の光、発光素子１０Ｂから放射される光Ｌ２を寒色系の光とすることにより、快適な間接照明を行うことが可能となる。ここで、暖色系の光は、色温度が３３００Ｋ未満の人に視覚を通じて温かみを感じさせる光であり、寒色系の光は、色温度が５３００Ｋ以上の人に視覚を通じて冷たさや涼しさを感じさせる光である。
【００６２】
当然ながら、一対の発光素子１０の光色を互いに異ならせる点は、図１〜図３に示す照明装置においても適用することができる。
【００６３】
ところで、上述の図１〜４に示す照明装置では、配光変更部２の一例として、反射板を例示しているが、配光変更部２は、反射板に限定されるものではなく、例えば、レンズやプリズムなど、光の向きを変更することができるものであればよく、例えば、回折格子なども用いることができる。また、図１〜図４に示す配光変更部２はあくまで一例であって、これに限定する趣旨ではなく、所望の配光パターンが得られるように好適な形状に設計すればよい。所望の配光パターンを得るために配光変更部２の設計する方法は、従来から周知であるから説明は省略する。
【００６４】
なお、発光素子１０はあくまで一例であって、複数の発光層を備えたものであってもよいし、複数の有機ＥＬ素子を基板上に配列、または積層してなるものであってもよく、要は、片側にのみ光を放射するものであればよい。また、上記制御部はあくまで一例であって上記の例に限定する趣旨ではなく、例えば、発光素子１０を調光制御する機能は有していなくても問題はない。つまり、上記制御部は、少なくとも、光源部１の一対の発光素子１０を個別に点灯制御することが可能なものであれば、本発明の目的を達成することができる。また、図１〜図４に示す照明装置は、あくまでも本発明の照明装置の一実施形態に過ぎず、本発明の照明装置をこれらに限定する者ではなく、本発明の趣旨を逸脱しない程度の変形は可能である。
【図面の簡単な説明】
【００６５】
【図１】本発明の一実施形態の照明装置の概略断面図である。
【図２】同上の照明装置の他例の概略断面図である。
【図３】同上の照明装置の他例の概略断面図である。
【図４】同上の照明装置の他例の概略断面図である。
【図５】従来の照明装置の概略断面図である。
【図６】従来の照明装置の他例の概略断面図である。
【符号の説明】
【００６６】
１    光源部
２（２Ａ，２Ｂ）    配光変更部
１０（１０Ａ，１０Ｂ）  発光素子
１１（１１Ａ，１１Ｂ）  発光面
１２    非発光面
２０    反射面
【図１】
0004936177.tif 000002
【図２】
0004936177.tif 000003
【図３】
0004936177.tif 000004
【図４】
0004936177.tif 000005
【図５】
0004936177.tif 000006
【図６】
0004936177.tif 000007